(57)【要約】書き換え可能なタイプの光ディスクをハンドリングする方法は、光ディスクのタイプに関する情報を決定するステップを含むディスク認識ステップ、論理ディスク構造に関する情報を読取るステップを含むマウントステップ、及び、前記ディスク認識ステップが成功した場合であって、前記論理ディスク構造に関する情報を読取ることができない場合に、光ディスクをフォーマットするステップを含む、前記マウンティングステップに続くフォーマットステップを含む。本方法は、基本のディスク情報が利用可能なときに光ディスクの再フォーマットをＰＣで可能にする。
2009535754.tif 000002
【特許請求の範囲】
【請求項１】
書き換え可能なタイプの光ディスクをハンドリングする方法であって、
光ディスクのタイプに関する情報を決定するステップを含むディスク認識ステップと、
論理ディスク構造に関する情報を読取るステップを含むマウントステップとを含み、
前記光ディスクのタイプが前記ディスク認識ステップで決定された場合であって、前記論理ディスク構造に関する情報がエラーを含んでいるか又は前記情報を読取ることができない場合に、ディスクをフォーマットするステップを含む、前記マウンティングステップに続くフォーマットステップと、
を含むことを特徴とする方法。
【請求項２】
前記論理ディスク構造に関する情報がエラーを含む場合、前記フォーマットステップの前に前記光ディスクに記憶されるユーザデータの少なくとも１部を回復するステップを含む、前記フォーマットステップに先行するリカバリステップを更に含む、
請求項１記載の方法。
【請求項３】
前記欠陥の管理は、前記フォーマットステップの間にイネーブルにされる、
請求項１記載の方法。
【請求項４】
前記フォーマットステップは、前記光ディスクの信頼できないエリアをチェックするステップを含む確認ステップを更に含む、
請求項３記載の方法。
【請求項５】
前記ディスク認識ステップは、前記光ディスクのトラックのウォブルに記憶される予め記録された情報を読取るステップを含む、
請求項１記載の方法。
【請求項６】
前記光ディスクから情報を読取る読取り手段と、
前記光ディスクに情報を記録する記録手段と、
請求項１乃至５の何れか記載の方法を実行するため、前記読取り手段及び前記記録手段を制御する制御手段と、
を有する書き換え可能なタイプの光ディスクを記録する装置。
【請求項７】
汎用プロセッサで実行されたとき、記録装置に請求項１乃至５の方法を実行させるコンピュータプログラム。
【請求項８】
請求項７記載のコンピュータソフトウェアを含む記録媒体。
【発明の詳細な説明】
【技術分野】
【０００１】
本発明は、光ディスクのタイプの識別を含む書換え可能なタイプの光ディスクをハンドリング及び論理構造をマウントする方法に関する。  
また、本発明は、書換え可能なタイプの光ディスクに記録する装置及びコンピュータソフトウェアに関する。
【背景技術】
【０００２】
光ディスクがドライブユニットに挿入されたとき、情報がディスクから読取られるか又は記録されるように、幾つかのアクションが上手く実行される必要がある。はじめに、正確なタイプの光ディスクは、読取装置が読取り及び／又は記録方法を光ディスクのタイプに適合させることができるように、認識される必要がある。第二に、ディスクは、このステップは、論理ファイル構造を読取ることを含む。両方のステップは成功した場合、ディスクは、エンドユーザにより使用されるために利用可能にされる。ディスクの認識ステップ又はマウントの間のいずれかでエラーが検出された場合、既知のドライブは、要求に応じてディスクに報告し、エンドユーザはそれを使用することができない。
【発明の開示】
【発明が解決しようとする課題】
【０００３】
しかし、これは、エンドユーザにとって魅力的ではなく、他のディスクを利用可能にするものではなく、そのディスクをなお使用することができることに関心がある。
【課題を解決するための手段】
【０００４】
本発明の目的は、要求に応じて報告された所定のタイプのディスクをユーザが使用するのを可能にする上記課題に対して解決策を提供することにある。本発明の目的は、本発明に従って書換え可能なタイプの光ディスクをハンドリングする方法により到達される。本発明に係る方法では、マウンティングステップに続くフォーマッティングステップは、光ディスクのタイプがディスク認識ステップで識別された場合に光ディスクをフォーマットするステップを含むが、論理ディスク構造に関する情報はエラーを含むか又は読取ることができない。これは、所定の論理ディスク構造を読取ることができないためにディスクがマウントせず、ディスクがそれでもなおフォーマット可能であるべきという洞察に基づく。フォーマッティングにより、全ての保存された情報を失うという犠牲を払って光ディスクの再使用を可能とし、可能であるため、ディスクの認識の間に得られた情報の可用性のみを必要とし、ディスクに既に存在する論理ディスク構造に関する情報が必要とされない。ＣＤとＤＶＤの間のような異なるタイプの光ディスク間の区別が光ビームパラメータにより通常に行なわれる間、ＤＶＤ＋ＲＷ、ＤＶＤ−ＲＷ及びＤＶＤ−ＲＡＭ間のような更なる区別は、エリアにおけるリードで記録される情報から、又は製造の間にウォブルで前もって記録される情報から得られる場合がある。これは、データを記録する機能を必要としないので、ウォブルで前もって記録される情報を読取るために有利である。
【０００５】
有利な実施の形態では、本方法は、論理ディスク構造に関する情報がエラーを含む場合に、フォーマットするステップに先行する回復ステップを更に含み、回復ステップは、フォーマットするステップの前に光ディスクに記憶されたユーザデータの少なくとも１部を回復するステップを含む。マウンティングステップの間に遭遇されるエラーは、ディスク管理情報を読取ることに於けるエラー、又はファイルシステム情報を読取ることにおけるエラーの何れかに関連する。後者のケースでは、ファイルシステムを部分的にマウントすることができる。かかるケースでは、適切にマウントされたファイルに記憶される情報を回復するために有利である。
【０００６】
本方法の有利な実施の形態では、欠陥の管理は、フォーマットするステップの間にイネーブルにされる。一般に、欠陥の管理の使用は任意である。しかし、ディスクをマウントする前の試みが失敗したときにディスクが使用不可能なエリアを有することは、通常よりも可能性が高いという事実を考慮して、欠陥の管理の使用は、データを記憶するときにエラーのリスクを低減する。さらに、有利なことに、フォーマットするステップは、光ディスクの信頼できないエリアをチェックするステップを含む認証するステップを更に有する。認証は、ディスクが使用される前に信頼できないエリアが識別されることを保証する。
【０００７】
また、本発明は、請求項６記載の書換え可能なタイプの光ディスクを記録する装置を含む。また、本発明は、汎用プロセッサで実行されたとき、請求項１乃至５の方法を記録装置に実行させるコンピュータプログラムプロダクトを含む。
【０００８】
本発明のこれらの態様及び他の態様は、以下に記載される実施の形態を参照して明らかとなるであろう。本発明の特徴及び利点は、以下の図面を参照して更に説明される。
【発明を実施するための最良の形態】
【０００９】
図１ａは、トラック１２及びセントラルホール１０を有する光ディスク１１を概念的に示す。トラック１２は、情報を表す一連の記録されたマーク（記録されるべきマーク）の位置であり、情報レイヤで実質的に並列のトラックを構成する単一の螺旋パターンに従って構成される。光ディスクは、記録可能なタイプの１以上の情報レイヤを含む。書き換え可能な光ディスクの公知の例は、ＣＤ−ＲＷ、又はＤＶＤ＋／−ＲＷ、ＤＶＤ−ＲＡＭ又はＢＤ−ＲＥである。たとえば、ＤＶＤ＋／−ＲＷ光ディスクの物理構造及びアドレス情報に関する更なる詳細は、引用例ＥＣＭＡ−３３７及びＥＣＭＡ−３３８それぞれで発見される。情報は、たとえば相変化材料で結晶質又は非結晶質のマークといった、トラックに沿った光学的に検出可能なマークを記録することにより情報レイヤで表される。光ディスクでのトラック１２は、ブランクの光ディスクの製造の間に提供される前もって型押しされたトラック構造により示される。トラック構造は、読取り／書込みヘッドがスキャニングの間にトラックに追従するのを可能にする案内溝により構成される。
【００１０】
記録可能なディスクのトラック構造は、平均のセンターラインから溝の周期的な半径方向の変位の形式である、全体として当該技術分野で知られる物理パラメータのバリエーションを含む。周期的なウォブルは、情報のユニットの位置を示す物理アドレスのような更なる情報が記憶されるように更に変調される。前記情報は、特定の同期マークを更に含み、この同期マークは、かかる情報ブロックの開始を配置するものである。位置情報は、予め決定された数の変調されたウォブルを含むグループでエンコードされる。しかし、ウォブルでエンコードされた情報は、アドレス情報に限定されない。たとえば、ＣＤ−ＲＷのケースでは、ウォブルでは、以下の情報が記憶される。時間情報（物理アドレス）、異なる速度での書込みパワー、リードイン、リードアウトでの開始時間、速度レンジ。ＤＶＤ＋ＲＷディスクについて、記憶された情報は、物理アドレス、ディスクカテゴリ（たとえばＤＶＤ＋Ｒ、ＤＶＤ＋ＲＷ）、ディスクサイズ及び最大伝送レート、ディスク構造（たとえば記録可能なレイヤ、書き換え可能なレイヤ）、記録密度、データゾーンの割り当て（データゾーンの開始及び終了アドレス）、ディスクアプリケーションコード、ディスクＩＤ、製造ＩＤ又は書込みストラテジパラメータ（速度レンジ、幾つかの速度の書込み／読取りパワー）を含む。ＢＤ＿ＲＥディスクのケースでは、ＰＩＣエリアとして知られる予め記録されたエリアが存在し、以下の情報が記憶される。メディアタイプ、異なる速度での書込みストラテジ及び代替となるストラテジ、速度レンジ、異なる速度での読取りパワー、ディスクサイズ、レイヤ数、データゾーンの割り当て（データゾーンの開始及び終了アドレス）。情報は、ロバストネスのために５回繰り返される。ウォブルに記憶される先の情報は、光ディスクをどのように扱うかに関する情報であり、ディスク上にある実際の記録に関する情報を与えない。
【００１１】
光ディスク１１は、標準化された再生装置で再生可能である、標準化されたフォーマットに従ってユーザ情報を保持することが意図される。記録フォーマットは、情報が記録され、エンコードされ、トラック１２により提供される記録空間に論理的にマッピングされる方法を含んでおり、図１ｂを参照して説明される。記録可能な空間は、リードインエリア（ＬＩ）、ユーザデータを記録するデータゾーン（ＤＺ）、リードアウトエリア（ＬＯ）に通常分割される。リードインエリア（ＬＩ）は、基本的なディスク管理情報が記憶されるエリア１３、データゾーンにどのように物理的にアクセスするかに関する情報が提供されるディスク記述エリア１４を通常含む。たとえば、前記基本のディスク管理情報は、ＣＤシステムにおけるコンテンツのテーブルに対応するか、ＤＶＤシステムにおけるフォーマットディスク制御ブロックに対応する。さらに、論理レベルで、データゾーンにおけるユーザデータは、ＥＣＭＡ−１１９として利用可能なＣＤシステムで使用されるＩＳＯ９６６０、ＥＣＭＡ−１６７として利用可能なＤＶＤシステムで使用されるＵＤＦのようなファイル管理情報を含むファイルシステムに従って構成される。係るファイルマネージメント情報は、通常リードインエリア（ＬＩ）にあるか、又はリードインエリアの直後にある、光ディスク１１の予め定義された位置１５にマッピングされる。データゾーン（ＤＺ）に記録されるユーザ情報は、たとえば予め定義されたファイル及びディレクトリ構造を含むアプリケーションフォーマットに従って更に構成される。
【００１２】
図２は、図１ａを参照して例示されるような、光ディスク１１に情報を書き込む記録装置を概念的に示す。
【００１３】
記録装置には、光ディスクのトラックを走査する記録手段が設けられており、記録手段は、光ディスク１１を回転する駆動ユニット１６、ヘッド１８、トラックの半径方向でヘッド１８を大まかに位置合わせする位置合わせユニット２１、及び制御ユニット１７を有する。ヘッド１８は、光ディスク１１のトラック１２の放射線スポット１９に前記放射線ビーム２０を焦点合わせする光学素子を通してガイドされる放射線ビーム２０を発生する公知のタイプの光学システムを有する。放射線ビーム２０は、たとえばレーザダイオードといった放射線源により発生される。ヘッドは、前記ビームの光学軸に沿って放射線ビーム２０の焦点を移動させるフォーカスアクチュエータ、トラックのセンタで半径方向に放射線スポット１９を精密に位置合わせするトラッキングアクチュエータ（図示せず）を更に有する。トラッキングアクチュエータは、光学素子を半径方向に移動させるコイルを有するか、又は反射素子の角度を変えるために代替的に構成される。
【００１４】
読取り情報について、情報レイヤにより反射される放射線は、読取り信号と、前記トラッキング及びフォーカシングアクチュエータを制御するトラッキングエラー信号及びフォーカシングエラー信号のような更なる検出器信号とを発生するヘッド１８において、たとえば４象限ダイオードといった通常のタイプの検出器により検出される。
【００１５】
情報を記録するため、放射線ビーム２０は、記録レイヤにおいて光学的に検出可能なマークを形成するために制御される。このため、記録装置は、入力情報を処理してヘッド１８を駆動するための書き込み信号を生成する書込み処理手段を有しており、この書込み処理手段は、入力ユニット２３と、フォーマッタ２４及び変調器２５を有するデータ処理手段とを有する。
【００１６】
制御ユニット１７は、光ディスク１１への情報の記録及び光ディスク１１からの情報の読取りを制御し、ユーザ又はホストコンピュータからのコマンドを受信するために構成される。このため、制御ユニット１７は、たとえば図３を参照して以下に記載される手順を実行するためのマイクロプロセッサ、プログラムメモリ及び制御ゲートといった制御回路を有する。また、制御ユニット１７は、ロジック回路でステートマシンとして実現される。制御ユニット１７は、たとえばシステムバスといった制御ライン２２を介して、前記入力ユニット２３、フォーマッタ２４及び変調器２５に、駆動ユニット１６に、並びに位置合わせユニット２１に接続される。
【００１７】
入力ユニット２３は、ユーザ情報を受信し、前処理する。たとえばオーディオ−ビデオ情報を処理するとき、入力ユニット２３は、アナログオーディオ及び／又はビデオ、或はデジタルの圧縮されていないオーディオ／ビデオのような入力信号を圧縮する圧縮手段を有する。適切な圧縮手段は、WO98/16014-A1（PHN16452）においてオーディオについて記載され、MPEG2規格（ISO-IEC13818）においてビデオについて記載される。入力信号は、代替的に既に符号化されている場合がある。入力ユニット２３の出力は、たとえば誤り訂正コード（ECC）を付加してインタリーブするといった、制御データを付加して、記録フォーマットに従ってデータをフォーマット化するためにフォーマッタ２４に送出される。コンピュータアプリケーションについて、情報のユニットは、フォーマット２４に直接的にインタフェースされる。フォーマッタ２４の出力からのフォーマットされたデータは、変調ユニット２５に通過され、変調ユニット２５は、ヘッド２２を駆動する変調された信号を発生するため、たとえばチャネルコーダを有する。さらに、変調ユニット２５は、変調された信号に同期パターンを含める同期手段を有する。変調ユニット２５の入力に与えられるフォーマットされたユニットは、アドレス情報を含み、制御ユニット１７の制御下で光ディスクの対応するアドレス可能な位置に書き込まれる。制御ユニット１７は、記録された情報のボリュームの位置を示す位置データを記録及び読取るために構成される。
【００１８】
記録動作の間、情報を表すマークは、光ディスク状に形成される。マークは、たとえばダイ（dye）、合金又は相変化材料のような材料で記録するときに得られる、それらの周囲とは異なる反射係数をもつエリアの形式、又は光磁気材料で記録するときに得られる、それらの周囲は異なる磁化の方向をもつエリアの形式といった、光学的に読取り可能な形式である。光ディスクに記録するための情報の書込み及び読取り、並びに使用可能なフォーマット、誤り訂正及びチャネル符号化ルールは、たとえばＣＤシステム（ＩＥＣ９０８）から当該技術分野で公知である。
【００１９】
読み取りについて、読取り信号は、情報を出力するために復調器２６、デフォーマッタ２７及び出力ユニット２８を有する読取り処理ユニットにより処理される。復調器２６、デフォーマッタ２７及び出力ユニット２８の機能は、コントローラ１７により制御される。したがって、情報を読取る読取り手段は、駆動ユニット１６、ヘッド１８、位置合わせユニット２１及び読取り処理ユニットを含む。
【００２０】
図３は、本発明に係る光ディスクをハンドリングする方法をフローダイアグラムにより例示する。
【００２１】
光ディスクが装置に挿入されたとき、はじめに、ディスク認識ステップ４０が実行される（ＤＳＣ＿ＲＥＣ）。このステップは、当該技術分野で知られており、第一のサブステップで、光ディスクがＣＤ，ＤＶＤ又はＢＤタイプからなるかを判定するために反射された放射線（たとえばフォーカス）のパラメータの第一の決定を含む。ディスクのタイプが識別された後、基本的な読取り／書込みパラメータ及びリードインエリア、データゾーン及びリードアウトの位置が決定されるように、更に基本的なディスク情報が読取られる。なお、基本のディスク情報は、ウォブルでエンコードされた情報から読取られるか、又はリードインエリアで記録された情報から読み取られる。
【００２２】
ステップ４１で、ディスクの認識が成功したかがチェックされる。ディスクに関する基本情報が利用可能であることなしに、ディスクの認識が失敗した場合、ステップ４２でディスクは損傷されたとして取り出される。
【００２３】
ディスクの認識が成功した場合、マウンティングステップ４３により後続され、第一のサブステップで、リードインエリアで記録されたディスク管理情報が読取られる。この情報は、論理レイヤにアクセスするのを可能にする情報を有する。たとえば、ＣＤ−ＲＷシステムでは、これはコンテンツのテーブル（ＴＯＣ）を読取ることに対応し、ＤＶＤ−ＲＷシステムでは、これはフォーマッティングディスクコントロールブロック（ＦＤＣＢ）を読取ることに対応し、ＢＤ−ＲＥシステムでは、これは（テンポラリ）欠陥管理エリア（Ｔ）ＤＭＡを読取ることに対応する。そこに存在する情報は、ＵＤＦ又はＩＳＯ９６６０のようなディスクのユーザデータのフォーマットを示し、この場合、ファイル情報テーブルが位置される。次のサブステップでは、ファイル情報テーブルがアクセスされ、ディスクのマウンティングが終了される。
【００２４】
ステップ４４では、ディスクのマウンティングが成功したかがチェックされる。ディスクのマウンティングが成功した場合、エンドユーザは、ステップ４５で、たとえばデータを読取り及び／又は記録することでディスクを使用する。
【００２５】
ディスクのマウンティングは、以下のタイプのエラーのために不成功である。ユーザがディスクに関して有するフォーマットのタイプに関して、又はファイル割り当て情報はディスクに記録される位置に関してマウンティングステップで情報が得られないように、エラーは、基本的なディスク管理情報を読取ることで遭遇される。エラーは、ファイル割り当て情報を読取ることにおいて遭遇される。
【００２６】
エラーに遭遇しないとき、公知の光ドライブでは、ディスクが損傷されたとして取り出される。しかし、本発明の方法及び装置において、ディスクの認識が成功したがディスクのマウントが失敗した場合、ディスクが損傷したとして取り出す代わりに、書き換え可能なタイプのディスクがフォーマットステップ４６（FORMAT）で再フォーマットされることが可能とされる。これは、ウォブルから抽出することができる基本的なディスク識別情報のみがディスクをフォーマットするために必要であるという洞察に基づいている。なお、後者のタイプのエラーに遭遇したとき、回復ステップ（RECOV）は、後に詳細にされるようにフォーマット化に先行する。
【００２７】
光ディスクをフォーマット化するプロセスは知られており、幾つかのオプションが利用可能である。レギュラーフォーマッティングとして当該技術分野で知られるプロセスは、ＣＤ又はＤＶＤのような光ディスクについて使用される物理的なフォーマットの従来のやり方である。レギュラーフォーマッチングプロセスの後、ディスクは、物理的なレベルで完全にフォーマット化される。フォーマッティングプロセスは、リードインエリア（ＬＩ）の記録、データゾーン（ＤＺ）への書込み。リードアウトエリアの書込み（ＬＯ）、及び、任意に、データゾーンの認証、並びに、欠陥管理が使用されるべき場合に欠陥管理の初期化を含む。なお、欠陥の管理は、コンピュータのオペレーティングシステムによるような装置外で操作される場合がある。第二のタイプのフォーマッティングプロセスは、レコーダでのディスクの使用の間にバックグランドで実行されるフォーマッティングプロセスであるバックグランドのフォーマッティングとして当該技術分野で知られている。バックグランドのフォーマッティングプロセスが終了された後、ディスクは、物理レベルで完全に物理的にフォーマットされる。ユーザデータは、バックグランドフォーマッティングプロセスの間にディスクに記録される。バックグランドのフォーマッティングプロセスは、以下のステップを含む。欠陥の管理の初期化、光ディスクのタイプに依存して、任意であるデータゾーンのデアイシング（de-icing）、リードイン及びリードアウトゾーンの終了（finalization）、（該当する場合）早期の取り出しの終了、早期の取り出されたディスクでのバックグランドのフォーマッティングの再開、及び、認証（ホストコンピュータにより任意に選択される）。
【００２８】
一般に、バックグランドのフォーマッティングは、ユーザにとって非常に時間効率の高い解決策として見られる。これは、バックグランドのフォーマッティングプロセスの初期化フェーズの間に、最少量のデータのみがディスクに記録され、その後にディスクがアプリケーション／ユーザにより使用することができるからである。バックグランドのフォーマッティングプロセスがアクティブであるディスクは、アプリケーションがディスクにアクセスしない瞬間にバックグランドにおける装置により更にフォーマットされる。
【００２９】
ディスクをマウントする前の試みが失敗したときにディスクがもっとも使用不可能な領域をほぼ確実に有することが期待される事実を考慮して、本発明の好適な実施の形態では、バックグランドフォーマッティングの代わりに、レギュラーフォーマッティングが使用される。これにより、ディスクが使用される前に完全な認証ステップ４８（VERIF）が実行されるのを可能にする。認証は、ディスクのデータゾーンにおける全ての情報ブロックの読取り及びチェックのプロセスである。情報ブロックが信頼できないと判定された場合、欠陥の管理が採用され、ユーザ情報を記録するために係る情報ブロックを使用するのを回避する。
【００３０】
欠陥管理に関して、たとえばノーマルなユーザデータのサイズ及びノーマルな欠陥のリプレースメントエリアに対応するレギュラーディスクフォーマット、小さなユーザデータのサイズ及び大きな欠陥のリプレースメントエリアに対応する頻繁な使用のディスクフォーマット、及び、最大のユーザデータのサイズ及び最小の欠陥のリプレースメントエリアに対応する少ない使用のディスクフォーマットといった、異なる可能性が利用可能である。本発明の好適な実施の形態では、ディスクをマウントする前の試みが失敗されたとき、ディスクがほぼ確実に使用不可能なエリアを有する事実を考慮して、頻繁な使用のディスクフォーマットが使用される。
【００３１】
ディスク管理情報、すなわちファイル管理システムのタイプ及び位置を読取る場合、本方法の実施の形態では、フォーマッティングステップは、回復ステップ４７（RECOV）により先行される。これは、ファイルシステムが部分的にマウントされるように、エラーがファイルシステム情報の読み取りの間に遭遇されるときに生じる。これは、リードオンリディスクとしてディスクをマウントすることにより実現される。係るケースでは、適切にマウントされたファイルに位置される情報が回復される。さらに、ドライブがディスクの論理ディスクレイアウトを判定する場合であるが、欠陥管理システムにより使用されるリプレースメントエリアが完全に一杯であるとき、本発明に係る方法では、リカバリステップ４７では、ディスクは、リードオンリディスクとしてマウントされる。マウントの後、ユーザは、不良なエリアを含めて、ディスクを再フォーマットすることを選択するか、認証ステップを実行するのを決定する。これは、幾つかの不良のエリアがディスクのエリアに存在する汚れ及び油のためであり、欠陥としてマークされている幾つかのエリアが使用不可能となることを含めて、ディスクがクリーニングされた可能性があるという洞察に基づく。成功した場合、新たなリプレースメントエリアは、ディスクが書き換え可能なディスクとして再マウントされるように利用可能となる。
【００３２】
装置で本発明を実現することに関して、ディスクの認識、ディスクのマウント、フォーマット化、係るような書き換え可能なタイプの光ディスクでの情報の読取り及び記録が知られている。好適な実施の形態では、制御ユニット１７は、たとえば適切なファームウェアにより、上述された新たな方法に係る書き換え可能なタイプの光ディスクを扱うためにイネーブルにされる。代替的な実施の形態では、制御ライン２２を介して読取り及び記録手段に接続される判定ユニット２９であって、更に、制御ユニット１７に接続されるか又は制御ユニット１７に組み込まれる判定ユニット２９が存在する場合がある。判定ユニット２９は、ディスク認識及びディスクマウンティングステップ、フォーマッティング及び／又は認証及び／又は回復のような実行されるべきステップの出力に基づいて、判定を行なう。任意に、装置がパーソナルコンピュータにおける光ディスクドライブである場合、本発明はソフトウェアで実現され、本発明に係るドライブを操作するのを可能にする。係るソフトウェアは、ディスクの認識が成功し、ディスクのマウントが不成功である場合に、ディスクを再フォーマットすること又は新たなディスクを挿入することの何れかに関心があるかをユーザに尋ねるオプションを含む場合がある。
【００３３】
なお、上述された実施の形態は、本発明を限定するよりはむしろ例示することを意味する。当業者であれば、特許請求の範囲から逸脱することなしに多くの代替的な実施の形態を設計することができる。請求項では、括弧間に配置される参照符号は、請求項を限定するとして解釈されるべきではない。動詞「有する“comprise”」及び「含む“include”」並びにそれらの派生の使用は、請求項で述べた以外のエレメント又はステップの存在を排除しない。エレメントに先行する冠詞“a”及び“an”は、複数の係るエレメントの存在を排除しない。本発明は、幾つかの個別のエレメントにより、及び適切にプログラムされたコンピュータにより実現される。コンピュータプログラムは、光ストレージのような適切なメディアに記憶／分散されるか、ハードウェア部材と共に供給されるが、インターネット若しくは有線又は無線の電気通信システムを介して分散されるように、他の形式で分散される場合もある。幾つかの手段を列挙しているシステム／デバイス／装置の請求項では、これらの手段の幾つかは、同一アイテムのハードウェア又はソフトウェアにより実施される。所定の手段が相互に異なる従属の請求項で引用される事実は、これらの手段の組み合わせを使用することができないことを示すものではない。
【図面の簡単な説明】
【００３４】
【図１】光ディスクを概念的に例示する図である。
【図２】本発明が実施される光ドライブを概念的に示す図である。
【図３】本発明に係る光ディスクをハンドリングする方法をフローダイアグラムにより例示する図である。
【図１ａ】
2009535754.tif 000003
【図１ｂ】
2009535754.tif 000004
【図２】
2009535754.tif 000005
【図３】
2009535754.tif 000006
【国際調査報告】
2009535754.tif 000007
2009535754.tif 000008
2009535754.tif 000009